(57)【特許請求の範囲】
【請求項１】
本体キャビネットの前面を開閉する外扉に形成されたディスプレイ室内に配設され、左右方向に複数の商品見本を展示するディスプレイ台と、前記ディスプレイ台上に展示された複数の商品見本に対応して少なくとも商品価格を表示する液晶表示部を有し、当該液晶表示部の前面に化粧枠を介して液晶表示部を保護する可撓性を有する横長帯状の透明なカバー部材を装備してなる商品情報デジタルディスプレイとを備え、前記商品情報デジタルディスプレイをディスプレイ台の前面に設置してなる自動販売機の商品見本展示装置において、薄い矩形平板からなるシート状商品見本を備え、当該シート状商品見本を前記商品情報デジタルディスプレイの前面に装備された前記化粧枠と、可撓性を有する横長帯状の透明な前記カバー部材の内側に差し込んで挟着させて自立させてなることを特徴とする自動販売機の商品見本展示装置。
【請求項２】
請求項１に記載の自動販売機の商品見本展示装置において、前記シート状商品見本は下端近傍の両側縁に係止片を一体成形してなり、当該係止片を前記商品情報デジタルディスプレイのカバー部材よりも背面側に係止させてなることを特徴とする自動販売機の商品見本展示装置。
【請求項３】
請求項２に記載の自動販売機の商品見本展示装置において、前記商品情報デジタルディスプレイは液晶表示部を内蔵するデジタル表示ユニットの前面に化粧枠を介してカバー部材が配備されてなり、当該化粧枠の頭部にシート状商品見本の係止片が係合する係合穴を形成してなることを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に複数の商品見本を左右に並べて展示した自動販売機の商品見本展示装置に関するものである。
【背景技術】
【０００２】
この種の従来の自動販売機の商品見本展示装置について図４を用いて説明する。図４は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。さらに、外扉２０の前面には、硬貨識別装置２０１に連通する硬貨投入口、紙幣識別装置２０２に連通する紙幣挿入口、硬貨返却口、返却レバーおよびロック付ハンドル、商品取出口２０３などが設けられている。
【０００４】
前記ディスプレイ台７０は、周知であるので詳細な図示は省略するが、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には商品見本８０を嵌合保持する係合穴が左右方向に複数並設されている。また、商品載置台の前面壁には各商品見本８０に対応する商品のコールド，ホット状態を表す冷温パターンを表示する冷温表示板および商品の価格情報を表示する価格表示板が装着される。なお、前記冷温表示板，価格表示板に替えて液晶ディスプレイ（ＬＣＤ）を備えた商品情報デジタルディスプレイを用いて冷温表示（寒色である青色，暖色である赤色）を行うとともに価格表示を行うものも知られている。
【０００５】
前記商品見本８０は光透過材料により形成された中空状の本体の底面に光導入部を設け、前記光導入部から本体の内部に光を導入して本体を内側から照明するように構成されている。前記商品見本８０は前記ディスプレイ台７０に形成した係合穴に嵌合保持されると、ディスプレイ台７０の内部に設けた照明光源からの光がディスプレイ台７０の係合穴と商品見本８０の底部に形成した光導入部とを通して中空状の商品見本の内部に照射され、商品見本が恰も発光しているように展示されることは周知である。前記商品見本８０は立体、具体的には、缶，瓶，ペットボトルなどの容器形状に一致させた中空状の本体を備えた商品見本や、前記中空状の本体を半分に切断した半割り状の商品見本などがディスプレイ台に形成した開口部に嵌合保持するようにされている。前記商品見本８０は立体状、具体的には、缶，瓶，ペットボトルなどの容器形状に一致させた中空状の本体を備えたもの、前記中空状の本体を半分に切断した半割り状のものなどが一般的であるが、ディスプレイ台７０の係合穴に嵌合させることができない、例えば、缶，瓶，ペットボトルなどの容器から中身飲料などを抜いた空容器などを展示する場合には、ディスプレイ台７０の係合穴に着脱自在な商品見本展示用アタッチメントを用いて空容器を展示するように構成されている（例えば、特許文献１）。
【先行技術文献】
【特許文献】
【０００６】
【特許文献１】特開２００８−２４２５０５号公報
【発明の概要】
【発明が解決しようとする課題】
【０００７】
ところで、特許文献１に記載された立体状の商品見本に加え、プラスチックシートに商品の外観意匠を印刷した矩形平板状のシート状商品見本が知られており、このシート状商品と立体状の商品見本を同一のディスプレイ台に並べて展示することが望まれている。しかしながら、シート状商品見本は立体状の商品見本のようにディスプレイ台の開口部に直接嵌合させることが困難である。このため、シート状商品見本を保持するとともにディスプレイ台の開口部と係合する係合部を備えた商品見本展示用アタッチメントを設けることが考えられる。ところが、シート状商品見本は剛性の弱い薄いプラスチックシートからなることからシート状商品見本の下端のみを保持した場合にはシート状商品見本は起立姿勢を維持することができずに折れ曲がってしまう。このため、商品見本展示用アタッチメントを細長いシート状商品見本の周縁を保持するような大形のものとせねばならず、コストが嵩むという課題を有する。
【０００８】
そこで、本発明は上記の点に鑑みなされたものであり、その目的は前記課題を解決し、シート状商品見本の一部のみを保持した場合にもシート状商品見本の姿勢を維持してディスプレイ台に展示することが可能な自動販売機の商品見本展示装置を提供することにある。
【課題を解決するための手段】
【０００９】
上記目的を達成するため請求項１に係る発明は、本体キャビネットの前面を開閉する外扉に形成されたディスプレイ室内に配設され、左右方向に複数の商品見本を展示するディスプレイ台と、前記ディスプレイ台上に展示された複数の商品見本に対応して少なくとも商品価格を表示する液晶表示部を有し、当該液晶表示部の前面に化粧枠を介して液晶表示部を保護する可撓性を有する横長帯状の透明なカバー部材を装備してなる商品情報デジタルディスプレイとを備え、前記商品情報デジタルディスプレイをディスプレイ台の前面に設置してなる自動販売機の商品見本展示装置において、薄い矩形平板からなるシート状商品見本を備え、当該シート状商品見本を前記商品情報デジタルディスプレイの前面に装備された前記化粧枠と、可撓性を有する横長帯状の透明な前記カバー部材の内側に差し込んで挟着させて自立させてなることを特徴とする。
【００１０】
また、上記目的を達成するため請求項２に係る発明は、請求項１に記載の自動販売機の商品見本展示装置において、前記シート状商品見本は下端近傍の両側縁に係止片を一体成形してなり、当該係止片を前記商品情報デジタルディスプレイのカバー部材よりも背面側に係止させてなることを特徴とする。
【００１１】
また、上記目的を達成するため請求項３に係る発明は、請求項２に記載の自動販売機の商品見本展示装置において、前記商品情報デジタルディスプレイは液晶表示部を内蔵するデジタル表示ユニットの前面に化粧枠を介してカバー部材が配備されてなり、当該化粧枠の頭部にシート状商品見本の係止片が係合する係合穴を形成してなることを特徴とする。
【発明の効果】
【００１２】
本発明の請求項１に係る発明によれば、本体キャビネットの前面を開閉する外扉に形成されたディスプレイ室内に配設され、左右方向に複数の商品見本を展示するディスプレイ台と、前記ディスプレイ台上に展示された複数の商品見本に対応して少なくとも商品価格を表示する液晶表示部を有し、当該液晶表示部の前面に化粧枠を介して液晶表示部を保護する可撓性を有する横長帯状の透明なカバー部材を装備してなる商品情報デジタルディスプレイとを備え、前記商品情報デジタルディスプレイをディスプレイ台の前面に設置してなる自動販売機の商品見本展示装置において、薄い矩形平板からなるシート状商品見本を備え、当該シート状商品見本を前記商品情報デジタルディスプレイの前面に装備された前記化粧枠と、可撓性を有する横長帯状の透明な前記カバー部材の内側に差し込んで挟着させて自立させてなることにより、立体状の商品見本を展示するディスプレイ台に追加部品を設けることなくシート状商品見本を展示することができるので、立体状の商品見本とシート状商品見本を一つのディスプレイ台に混合して展示することができる。
【００１３】
また、本発明の請求項２に係る発明によれば、請求項１に記載の自動販売機の商品見本展示装置において、前記シート状商品見本は下端近傍の両側縁に係止片を一体成形してなり、当該係止片を前記商品情報デジタルディスプレイのカバー部材よりも背面側に係止させてなることによりシート状商品見本は係止片によって左右側縁が後方に引っ張られて左右方向に湾曲するので、その剛性を高めることができ、これによりシート状商品見本の自立を安定して維持することができる。
【００１４】
また、本発明の請求項３に係る発明によれば、請求項２に記載の自動販売機の商品見本展示装置において、前記商品情報デジタルディスプレイは液晶表示部を内蔵するデジタル表示ユニットの前面に化粧枠を介してカバー部材が配備されてなり、当該化粧枠の頭部にシート状商品見本の係止片が係合する係合穴を形成してなることにより、僅かの設計変更によりシート状商品見本の剛性を高めて自立させることが可能となる。
【図面の簡単な説明】
【００１５】
【図１】本発明の実施の形態１に係る自動販売機の商品見本展示装置を示し、（ａ）はディスプレイ台の要部斜視図、（ｂ）はシート状商品見本の正面図である。
【図２】図１に示したディスプレイ台を示し、（ａ）はディスプレイ台の分解斜視図、（ｂ）は（ａ）の右端側の拡大斜視図である。
【図３】本発明の実施の形態２に係る自動販売機の商品見本展示装置を示し、（ａ）はディスプレイ台の要部斜視図、（ｂ）はシート状商品見本の斜視図、（ｃ）は（ａ）におけるＡ部の平面図である。
【図４】本発明が対象とする自動販売機の一例を示す斜視図である。
【発明を実施するための形態】
【００１６】
以下、本発明の実施の形態に係る自動販売機の商品見本展示装置について添付図面を参照して説明する。なお、本発明の実施の形態に係る自動販売機の商品見本展示装置が従来装置と相違する点は特にディスプレイ台の周辺であり、ここでは従来装置と相違するディスプレイ台の周辺について説明することとし、また、自動販売機の全体構成は図４に示したものと同一であるので適宜図４を参照しつつ説明を行う。
【００１７】
図１は本発明の実施の形態１に係る自動販売機の商品見本展示装置を示し、図において１はディスプレイ台であり、このディスプレイ台１は鋼板製の固定部材２と商品載置台３とからなる。前記固定部材２は商品載置台３を支持する腕木としてのブラケット２１（図２参照）を有し、当該ブラケット２１が中扉６０（図４参照）に係止固定されている。４は液晶ディスプレイ（ＬＣＤ）を備えた商品情報デジタルディスプレイであり、商品載置台３に載置された複数の商品見本８０若しくは後述するシート状商品見本８１に対応して当該商品見本８０のコールド，ホット状態を表す冷温表示および商品価格の価格表示を行う液晶表示部４１を備えている。５は左右方向に延在する鋼板製の取付金具であり、前記固定部材２にねじ止めされて商品情報デジタルディスプレイ４の下端を保持するものである。なお、商品情報デジタルディスプレイ４は液晶表示部４１に商品価格の価格表示を行うものとし、冷温表示については周知の冷温表示板を用いることもできるものである。
【００１８】
前記固定部材２は、図２に示すように左右のブラケット２１を天板２２により連結してなり、天板２２には複数の開口２２１が形成されるとともに天板２２の前縁には前方斜め上方に折り曲げられた係止片２２２が設けられている。前記固定部材２の左右のブラッケット２１は左右対称であるので、ここでは正面視右側のブラケット２１を代表として説明する。前記ブラッケット２１には上面に向けて開放した挿脱溝部２１ａが形成されるとともに前縁に商品情報デジタルディスプレイ４を係止する係止部２１ｂ、およびねじＳが螺合するねじ穴２１ｃが形成されている。前記ブラケット２１の後縁には内方に向けて折り曲げられた後壁２３（図２の（ａ）参照）が形成され、この後壁２３に切起しにより係止片２３１が形成されている。この係止片２３１を中扉６０（図４参照）に設けた係止穴に嵌合させることにより固定部材２が中扉６０に係止固定される。
【００１９】
前記商品載置台３は、図２に示すように、上面壁３１の両端から下方に延在された左右側壁３２を備えてなり、上面壁３１には商品見本８０を嵌合保持する係合穴３１１が左右方向に複数並設されている。前記商品載置台３の左右側壁３２は左右対称であるので、ここでは正面視右側の側壁３２を代表として説明する。前記側壁３２には、前方斜め下方向に開放した切欠３３が形成されている。また、前記側壁３２には内側に向けて切起した当接片３４が形成されている。
【００２０】
前記商品情報デジタルディスプレイ４は、図２に示すように、液晶表示部４１が実装された回路基板を内蔵する横長のデジタル表示ユニット４２の前面に白色塗装が施された化粧枠４３を組付けてなるものである。前記化粧枠４３には液晶表示部４１に対応する箇所に窓４３１が形成されており、化粧枠４３の上端部（頭部）は後方斜め下方に向けて傾斜した係合片４３２が形成されている。この係合片４３２は固定部材２の天板２２に形成された係止片２２２に係合するものである。なお、図２の（ｂ）に示すように、化粧枠４３の前面から側方寄りには切り起こしにより係止爪４３３が形成されている。図示は省略したが、化粧枠４３の左端側にも前記係止爪４３３と向う合うように係止爪が切り起こしにより形成されているものである。これらの係止爪４３３により化粧枠４３の前面に配備された横長帯状の透明なカバー部材４４が保持されているものである。前記透明なカバー部材４４は、デジタル表示ユニット４２の液晶表示部４１を保護するものである。
【００２１】
前記取付金具５は縦断面が略Ｌ字形に形成された鋼板製になり、白色塗装が施されている。また、前記取付金具５の前面側の板面（Ｌ字形における長辺側の板面）には階段状の段差部５１（図２の（ｂ）参照）が形成されているとともにねじＳが挿通するねじ挿通穴５２が穿孔されている。
【００２２】
次に、ディスプレイ台１の組立てについて説明すると、まず、左右一対の固定部材２を中扉６０（図４参照）に取付ける。この固定部材２の中扉６０への取付けは、左右ブラケット２１の後壁２３に切起しにより形成された係止片２３１を中扉６０の所定位置に穿孔した係合穴に嵌合させることにより固定部材２が中扉６０に固着される。次いで、中扉６０に固着された固定部材２の左右ブラケット２１に対して商品載置台３を、固定部材２の上方から被せるように装着する。この場合、商品載置台３の左右側壁３２に内側に向けて切起した当接片３４を左右ブラケット２１の挿脱溝部２１ａに対峙させた上で、商品載置台３を固定部材２に被せる。そして、商品載置台３の上面壁３１が固定部材２の天板２２に当接すると、商品載置台３の左右側壁３２の当接片３４が左右ブラケット２１の挿脱溝部２１ａに嵌合した状態で固定部材２にセットされる。ここで、商品載置台３の左右側壁３２に内側に向けて切起した当接片３４が固定部材２の挿脱溝部２１ａに嵌合しているので、商品載置台３の前後方向への移動が規制される。
【００２３】
次いで、前記商品情報デジタルディスプレイ４を中扉６０（図４参照）に固着された前記固定部材２に次のように組付ける。すなわち、商品情報デジタルディスプレイ４の背面を固定部材２の左右ブラケット２１の前縁に当接させ、その際、商品情報デジタルディスプレイ４の下面を左右ブラケット２１の係止部２１ｂの上方に位置させた上で、商品情報デジタルディスプレイ４を左右ブラケット２１の前縁に沿わせた状態で商品情報デジタルディスプレイ４の下面が左右ブラケット２１の係止部２１ｂに当接するまで下方にスライドさせる。前記商品情報デジタルディスプレイ４の下面が前記係止部２１ｂに当接すると商品情報デジタルディスプレイ４が固定部材２に位置決めされるとともに前記商品情報デジタルディスプレイ４における化粧枠４３の係合片４３２が固定部材２の天板２２の前縁に形成した係止片２２２に係合する。この状態で取付金具５を、その段差部５１が商品情報デジタルディスプレイ４の下面に沿うように配設し、ねじＳにより左右ブラケット２１にねじ止めする。これにより、商品情報デジタルディスプレイ４が固定部材２に固定される。なお、前記固定部材２の左右ブラケット２１の外扉６０（図４参照）への固着位置を適宜定めることにより、商品情報デジタルディスプレイ４の左右端部は、当該左右ブラケット２１よりも外側に突出しているものである。
【００２４】
前述したように固定部材２に商品載置台３をセットするとともに固定部材２に商品情報デジタルディスプレイ４を取付けたディスプレイ台１には、図１に示すように、商品載置台３に載置された立体状の商品見本８０とシート状商品見本８１が起立姿勢で展示している。シート状商品見本８１は可撓性の薄いプラスチックシートに商品の外観意匠を印刷した矩形平板状の透明若しくは半透明のシートからなるものである。このシート状商品見本８１は前記商品情報デジタルディスプレイ４を利用してディスプレイ台１に取り付けられるが、これについては後述する。そして、ディスプレイ台１の前面に位置する商品情報デジタルディスプレイ４における各液晶表示部４１にそれぞれの商品見本８０，８１のコールド，ホット状態を表す冷温状態および商品価格が表示される。なお、商品情報デジタルディスプレイ４の下端を保持する取付金具５は、図４に示したディスプレイ室５０の前面の透明板４０に設けられた商品選択ボタンユニット９０の背後に位置しており、自動販売機の正面からは商品選択ボタンユニット９０に隠れて見えないようになっている。
【００２５】
さて、シート状商品見本８１は前記商品情報デジタルディスプレイ４を利用して次のようにディスプレイ台１に取り付けられる。すなわち、前記商品情報デジタルディスプレイ４は、図２で説明したように、デジタル表示ユニット４２の前面に白色塗装が施された化粧枠４３が組付けられ、さらに、化粧枠４３の前面に横長帯状の透明なカバー部材４４が組付けられている。本発明は前記透明なカバー部材４４に着目し、この透明なカバー部材４４の内側にシート状商品見本８１の下端を差し込んで自立させたものである。この場合、カバー部材４４が可撓性を有することから当該カバー部材４４の内側に差し込まれたシート状商品見本８１は下端部が化粧枠４３とカバー部材４４に挟着、つまり、両者に密着した状態で保持され、これによって薄いプラスチックシートからなるものであっても自立させることができる。
【００２６】
前述したように実施の形態１においては、本体キャビネット１０の前面を開閉する外扉２０に形成されたディスプレイ室５０内に配設され、左右方向に複数の立体状の商品見本８０を展示するディスプレイ台１と、前記ディスプレイ台１上に展示された複数の商品見本８０に対応して少なくとも商品価格を表示する液晶表示部４１を有し、当該液晶表示部４１の前面に化粧枠４３を介して前記液晶表示部４１を保護する可撓性を有する横長帯状の透明なカバー部材４４を装備してなる商品情報デジタルディスプレイ４とを備え、前記商品情報デジタルディスプレイ４をディスプレイ台１の前面に設置してなる自動販売機の商品見本展示装置において、薄い矩形平板からなるシート状商品見本８１を備え、当該シート状商品見本８１を前記商品情報デジタルディスプレイ４の前面に装備された前記化粧枠４３と、可撓性を有する横長帯状の透明なカバー部材４４の内側に差し込んで挟着させて自立させてなることにより、立体状の商品見本８０を展示するディスプレイ台１に追加部品を設けることなくシート状商品見本８１を展示することができるので、立体状の商品見本８０とシート状商品見本８１を一つのディスプレイ台１に混合して展示することができる。
【００２７】
次に本発明の実施の形態２に係る自動販売機の商品見本展示装置において図３を用いて説明する。この実施の形態２に係る自動販売機の商品見本展示装置が実施の形態１と相違する点はシート状商品見本８２、および商品情報デジタルディスプレイ４の化粧枠４３であり、その他の構成は実施の形態１と同一であるので、同一のものには同一の符号を付して説明を省略する。なお、ディスプレイ台１、および商品情報デジタルディスプレイ４の構成については図２に示すものと同一であるので、適宜図２を参照しつつ説明を行う。
【００２８】
図３において、８２はシート状商品見本であり、可撓性の薄いプラスチックシートに商品の外観意匠を印刷した矩形平板状の透明若しくは半透明のシートからなるものである。このシート状商品見本８２の下端近傍の左右側縁には切り込みにより略Ｌ字状の係止片８２１，８２１が一体成形されている。一方、商品情報デジタルディスプレイ４の化粧枠４３の上端部（頭部）には、図３の（ｃ）に示すように、シート状商品見本８２が装着される箇所には左右対称の係合穴４３４、４３４が形成されている。図３の（ｃ）においては図面下方側が自動販売機の前面側である。左右一対の係合穴４３４、４３４は細幅スリットと太幅スリットとの組み合わせからなり、細幅スリットが向かい合うとともに逆ハの字状に傾斜して形成されている。係合穴４３４、４３４の長さはシート状商品見本８２の係止片８２１，８２１におけるＬ字状下辺の長さよりも長く定められ、太幅スリットの長さは係止片８２１，８２１におけるＬ字状脚片の幅よりも大きく定められている。
【００２９】
次に、シート状商品見本８２の取付けについて説明すると、このシート状商品見本８２も実施の形態１と同様に商品情報デジタルディスプレイ４のカバー部材４４の内側に差し込まれるものである。この実施の形態２においては、シート状商品見本８２の下端を差し込むとシート状商品見本８２の係止片８２１，８２１が化粧枠４３の頭部に徐々に接近するので、その係止片８２１，８２１が化粧枠４３の頭部に接近した段階で、当該係止片８２１，８２１の自由端側を後方に撓ませて化粧枠４３の頭部に形成した係合穴４３４、４３４に差し込む。前記係止片８２１，８２１におけるＬ字状下辺が係合穴４３４、４３４に貫通した状態で、係止片８２１，８２１から手を離すと当該係止片８２１，８２１が復元力により前方に移動し、係止片８２１，８２１におけるＬ字状脚片が係合穴４３４、４３４の太幅スリットに係合し、かつ、係止片８２１，８２１におけるＬ字状下辺が係合穴４３４、４３４の細幅スリットの前方側に移動、つまり、化粧枠４３の頭部裏面側に潜り込んで係止される。これによりシート状商品見本８２の商品情報デジタルディスプレイ４のカバー部材４４内側への装着が完了する。
【００３０】
この実施の形態２においては、シート状商品見本８２が商品情報デジタルディスプレイ４に装着された状態においては、シート状商品見本８２の左右両端が係止片８２１，８２１により後方に引っ張られて前方側に凸となるように湾曲している。したがって、薄いプラスチックシートからなるシート状商品見本８２の剛性を高めることができるので、シート状商品見本８２を起立姿勢に自立ことが可能となる。
【００３１】
ここで、前記シート状商品見本８２には切欠８２２（図１の（ａ）参照）が設けられている。この切欠８２２について次に説明する。前述したような矩形平板状のシート状商品見本８２の下端を湾曲させた際、シート状商品見本８２の全体が湾曲してしまうことがある。そこで、シート状商品見本８２には左右側縁の下部側に切欠８２２を設けている。このように、切欠８２２を有するシート状商品見本８２の下端を湾曲させた場合、シート状商品見本８２の切欠８２２よりも下部側は湾曲（曲率の小さい湾曲）するが、前記切欠８２２によって下部側との繋がりが一部絶たれた切欠８２２よりも上部側の湾曲は下部側の湾曲に対して比較的小さくなる（曲率の大きな湾曲となる）。このように、切欠８２２を形成することによりシート状商品見本８２の湾曲を抑えることができる一方、切欠８２２よりも下部側は湾曲することから薄いプラスチックシートからなるシート状商品見本８２を安定して起立姿勢に維持することができる。なお、切欠８２２は角型に限らず円弧形状とすることもでき、さらに、切欠８２２に代えて切り込みを入れることもできるものである。
【００３２】
前述したように実施の形態２においては、本体キャビネット１０の前面を開閉する外扉２０に形成されたディスプレイ室５０内に配設され、左右方向に複数の商品見本８０を展示するディスプレイ台１と、前記ディスプレイ台１上に展示された複数の商品見本８０に対応して少なくとも商品価格を表示する液晶表示部４１を有し、当該液晶表示部４１の前面に位置して前記液晶表示部４１を保護する横長帯状の透明なカバー部材４４を装備してなる商品情報デジタルディスプレイ４とを備え、前記商品情報デジタルディスプレイ４をディスプレイ台１の前面に設置してなる自動販売機の商品見本展示装置において、薄い矩形平板からなるシート状商品見本８２を備え、当該シート状商品見本８２を前記商品情報デジタルディスプレイ４の前面に装備された横長帯状の透明なカバー部材４４の内側に差し込んで自立させてなることにより、立体状の商品見本８２を展示するディスプレイ台１に追加部品を設けることなくシート状商品見本８２を展示することができるので、立体状の商品見本８２とシート状商品見本８０を一つのディスプレイ台に混合して展示することができる。
【００３３】
また、実施の形態２においては、前記シート状商品見本８２は下端近傍の両側縁に係止片８２１，８２１を一体成形してなり、当該係止片８２１，８２１を前記商品情報デジタルディスプレイ４のカバー部材４４よりも背面側に係止させてなることによりシート状商品見本８２は係止片８２１，８２１によって左右側縁が後方に引っ張られて左右方向に湾曲するので、その剛性を高めることができ、これによりシート状商品見本８２の自立を安定して維持することができる。
【００３４】
また、実施の形態２においては、前記商品情報デジタルディスプレイ４は液晶表示部４１を内蔵するデジタル表示ユニット４２の前面に化粧枠４３を介してカバー部材４４が配備されてなり、当該化粧枠４３の頭部にシート状商品見本８２の係止片８２１，８２１が係合する係合穴４３４、４３４を形成してなることにより、僅かの設計変更によりシート状商品見本８２の剛性を高めて自立させることが可能となる。
【００３５】
なお、前記実施の形態ではシート状商品見本８１，８２と立体状の商品見本８０とを一つのディスプレイ台１に混合して展示することについて説明したが、立体状の商品見本８０の前面にシート状商品見本８１，８２と同様な装着方法で広告シートを装着することもできる。この場合、広告シートはシート状商品見本８１と同様に可撓性の薄い透明なプラスチックシートからなり、「新発売」などの広告を表示したものである。したがって、シート状商品見本８１，８２に加えて広告シートをも含むものであり、前述した実施の形態によりこの発明が限定されるものではない。
【符号の説明】
【００３６】
１…ディスプレイ台、２…固定部材、３…商品載置台、４…商品情報デジタルディスプレイ、５…取付金具、６…商品見本展示用アタッチメント、１０…本体キャビネット、２０…外扉、３０…内扉、４１…液晶表示部、４２…デジタル表示ユニット、４３…化粧枠、４４…カバー部材、５０…ディスプレイ室、６０…中扉、８０…（立体状の）商品見本、８１、８２…シート状商品見本、４３３…係止爪、４３４…係合穴、８２１…係止片。
【図１】
0005733045.tif 000002
【図２】
0005733045.tif 000003
【図３】
0005733045.tif 000004
【図４】
0005733045.tif 000005